(57)【特許請求の範囲】
【請求項１】
清掃部材を配置した清掃ヘッドを備えるとともに、手で把持して使用する柄を該清掃ヘッドの天面に連結して設けた柄付き清掃道具であって、
清掃ヘッドの底面に第１清掃部材を固定的に設け、
第１清掃部材とは結合されない第２清掃部材を清掃ヘッドの内部に上下動可能に設け、
柄が清掃ヘッドの側に押されたとき、柄の押圧力は第２清掃部材のみに直接に伝えられて該第２清掃部材を下方へ移動し、第１清掃部材には直接には伝えられないように構成されており、第２清掃部材は一定以上の柄の押圧力によって被清掃面に接触せしめられる清掃道具。
【請求項２】
前記清掃ヘッドの天面には清掃ヘッドの内部に連通する開口部を設けるとともに、柄には該開口部を通して清掃ヘッドの内部に設けた第２清掃部材と接触可能になる衝合部を設け、
清掃ヘッドと柄を連結するために、柄の先端部には連結用凸部を設けるとともに、清掃ヘッドの上部には連結部材を起立させて該連結部材の側面に上下方向に長孔をなす連結穴を設け、柄の連結用凸部を清掃ヘッドの連結穴に嵌合して柄を清掃ヘッドに対して上下動可能にする請求項１に記載の清掃道具。
【請求項３】
前記清掃ヘッドと柄との連結構造は、柄が清掃ヘッドの天面に対して平行な揺動軸をもって揺動可能に連結され、
柄に設けた第２清掃部材と接触可能になる衝合部の外縁部を、上記揺動軸中心から概ね同一距離となる円形状とする請求項２に記載の清掃道具。
【請求項４】
前記第２清掃部材を自然状態では被清掃面に接触しない上方位置に付勢するばね力を備え、柄の押圧力が第２清掃部材を被清掃面に接触させるように下方へ移動するときに弾性変形するばね部材を有する請求項１〜３のいずれかに記載の清掃道具。
【請求項５】
前記清掃ヘッドと柄を連結し、かつ清掃ヘッドの天面に対して回転動作し、柄とは相対回転しない支持部材を有し、
支持部材と清掃ヘッドの相対回転角位置が特定のＡ位置にあるときには、衝合部が開口部を通して第２清掃部材に接触可能とされ、Ａ位置以外のＢ位置では、衝合部が清掃ヘッドの天面に接触可能かつ第２清掃部材に接触不可能とされる請求項２〜４のいずれかに記載の清掃道具。
【請求項６】
前記支持部材と清掃ヘッドの相対回転角位置がＡ位置又はＢ位置にあるとき、支持部材を清掃ヘッドに対して回転ロック可能にし、
柄の平面視で柄の長手方向に対する清掃ヘッドの幅寸法が上記Ａ位置とＢ位置で異なる請求項１〜５のいずれかに記載の清掃道具。
【発明の詳細な説明】
【技術分野】
【０００１】
本発明はスポンジ等の第１清掃部材とブラシ等の第２清掃部材を有する清掃道具に関する。
【背景技術】
【０００２】
従来、清掃部材を配置した清掃ヘッドを備えるとともに、手で把持して使用する柄を該清掃ヘッドの天面に連結して設けた柄付き清掃道具として、特許文献１、２に記載のものがある。
【０００３】
特許文献１に記載の清掃道具は、スポンジに多数の孔を設け、各孔の奥にブラシを植設し、ブラシの先端部をスポンジの清掃面から離隔する孔内に配置するものがある。スポンジの清掃面を被清掃面に押付けて清掃するとき、押付力を大きくしてスポンジを適度に潰すと、ブラシの先端部がスポンジの孔から清掃面外に出て被清掃面の頑固な汚れも清掃できる。
【０００４】
特許文献２に記載の清掃道具は、柄を清掃具本体に対して回転動作させたとき、柄に設けてあるカムが清掃具本体に内蔵してあるブラシを該清掃具本体内の待機位置から清掃面外に突き出し、被清掃面の汚れを清掃できる。
【特許文献１】実登3035373
【特許文献２】実公昭48-33659
【発明の開示】
【発明が解決しようとする課題】
【０００５】
特許文献１に記載の清掃道具は、スポンジの孔内に設けたブラシを清掃面外に出して清掃作業させるためには、スポンジを適度に潰す必要がある。スポンジの材質として、清掃性能以外の硬さ等を考慮する必要があり、使用できるスポンジが限られる。
【０００６】
特許文献２に記載の清掃道具は、ブラシを清掃具本体内の待機位置から清掃面外に突き出すために、柄をその都度回転させる切り替え操作が必要になり、使い勝手が悪い。
【０００７】
本発明の課題は、第１と第２の２種の清掃部材を簡易に使い分けることにある。
【課題を解決するための手段】
【０００８】
請求項１の発明は、清掃部材を配置した清掃ヘッドを備えるとともに、手で把持して使用する柄を該清掃ヘッドの天面に連結して設けた柄付き清掃道具であって、清掃ヘッドの底面に第１清掃部材を固定的に設け、第１清掃部材とは結合されない第２清掃部材を清掃ヘッドの内部に上下動可能に設け、柄が清掃ヘッドの側に押されたとき、柄の押圧力は第２清掃部材のみに直接に伝えられて該第２清掃部材を下方へ移動し、第１清掃部材には直接には伝えられないように構成されており、第２清掃部材は一定以上の柄の押圧力によって被清掃面に接触せしめられるようにしたものである。
【発明を実施するための最良の形態】
【０００９】
図１に示す清掃道具１０は、手で把持して使用する柄１１を清掃ヘッド２０の天面に連結して設ける。
【００１０】
清掃ヘッド２０は、図２、図３に示す如く、ヘッド本体２１の下面に底部材２２を嵌合して構成される。清掃道具１０は、清掃ヘッド２０の底部材２２の下面の底面に第１清掃部材３０を固定的に設ける。第１清掃部材３０は板状スポンジ等からなり、常に被清掃面に接触する。
【００１１】
清掃道具１０は、図２、図３に示す如く、第１清掃部材３０とは結合されない第２清掃部材４０を清掃ヘッド２０の内部に上下動可能に設けられる。第２清掃部材４０は、清掃ヘッド２０のヘッド本体２１と底部材２２が区画する箱内に上下動可能に設けられる可動板４１と、可動板４１の下面の複数位置のそれぞれに植設された毛束状の複数のブラシ４２とからなる。各ブラシ４２は、可動板４１が清掃ヘッド２０の箱内を上下動するとき、清掃ヘッド２０の底部材２２及び第１清掃部材３０に穿設した複数の貫通孔２２Ａ、３０Ａの各孔内を上下動する。
【００１２】
清掃道具１０は、以下に述べる如く、柄１１をその軸方向に沿って清掃ヘッド２０の側に押して第１清掃部材３０を被清掃面に摺接する清掃動作時に、柄１１に加える押圧力が第２清掃部材４０のみに直接に伝えられて該第２清掃部材４０を下方へ移動し、第１清掃部材３０には直接には伝えられないように構成されている。そして、柄１１に加える押圧力が小さい低押圧力清掃モード（図４）では、第２清掃部材４０のブラシ４２の先端面は第１清掃部材３０の孔３０Ａ内にあって被清掃面に接触しない。他方、柄１１に加える押圧力が一定以上に大きくなる高押圧力清掃モード（図５）では、第２清掃部材４０のブラシ４２の先端面は第１清掃部材３０の孔３０Ａからその清掃面外に突出して被清掃面に接触する。
【００１３】
清掃道具１０は、清掃ヘッド２０の内部で、底部材２２の上面と第２清掃部材４０の可動板４１との間にばね部材５０を有する。本実施形態のばね部材５０は、清掃ヘッド２０の広幅方向の両端側の２位置のそれぞれに設けられる板ばねからなる。ばね部材５０は、第２清掃部材４０を自然状態（柄１１に押圧力を加えない状態）では被清掃面に接触しない上方位置に付勢するばね力を備え、柄１１の押圧力が第２清掃部材４０を被清掃面に接触させるように下方へ移動するときに弾性変形する。従って、清掃道具１０の自然状態〜前述の低押圧力清掃モードでは、第２清掃部材４０は柄１１の押圧力より大きなばね部材５０の付勢力により上方位置〜中間位置にあり、ブラシ４２の先端面は第１清掃部材３０の孔３０Ａ内にあって被清掃面に接触しない。他方、清掃道具１０の前述の高押圧力清掃モードでは、第２清掃部材４０の柄１１の押圧力によりばね部材５０を圧縮して下方位置に設定され、ブラシ４２の先端面は第１清掃部材３０の孔３０Ａからその清掃面外に突出して被清掃面に接触する。
【００１４】
清掃道具１０は、清掃ヘッド２０と柄１１を連結し、かつ清掃ヘッド２０の天面を構成するヘッド本体２１に対して回転動作し、柄１１とは該柄１１の軸まわりで相対回転しない連結支持部材２３を有する。連結支持部材２３は環状係合部２３Ａをヘッド本体２１の上面に設けた環状係合溝２１Ａに相対回転可能かつ抜け止め状態で係合し、ヘッド本体２１に対して回転動作する。また、柄１１のＵ字状をなす両側先端部１２、１２は柄１１の長手方向（軸方向）に直交する横外方に突き出る連結用突部１３を設けるとともに、清掃ヘッド２０の上部には前述の連結支持部材２３の連結部２４を起立させてその連結部２４の側面に上下方向に長孔をなす連結孔２４Ａを設け、柄１１の連結用突部１３を清掃ヘッド２０の連結孔２４Ａに嵌合し、柄１１を清掃ヘッド２０に対して上下動可能にする。
【００１５】
清掃道具１０は、清掃ヘッド２０のヘッド本体２１に設けた環状係合溝２１Ａに囲まれる範囲内に、該清掃ヘッド２０の内部に連通するスリット状開口部２１Ｂを設ける。開口部２１Ｂは環状係合溝２１Ａの中心（連結支持部材２３の回転中心と同じ）まわりの円弧状をなす。また、柄１１には上記開口部２１Ｂを介して、清掃ヘッド２０の内部に設けた第２清掃部材４０の可動板４１の上面と接触可能になる衝合部１４を設ける。本実施形態の柄１１はＵ字状をなす両側先端部１２、１２のそれぞれに衝合部１４を設ける。柄１１の両側衝合部１４が清掃ヘッド２０の開口部２１Ｂに入って第２清掃部材４０を直接下方へ押込み、第２清掃部材４０を前述の如くに下方へ移動させるものになる。
【００１６】
清掃道具１０は、柄１１の連結用突部１３と清掃ヘッド２０に設けた連結支持部材２３の連結孔２４Ａとの前述の連結構造において、柄１１の両側の連結用突部１３が清掃ヘッド２０の天面に対して平行な柄１１の揺動軸１３Ａを構成する（図６）。これにより、柄１１が清掃ヘッド２０に対して揺動可能に連結されるとき、柄１１に設けた前述の衝合部１４の外縁部１４Ａは、柄１１の上述の揺動軸（揺動軸１３Ａ）の中心から概ね同一距離となる円形状をなす。柄１１の揺動状態（被清掃面に接している清掃ヘッド２０に対する揺動角度）が変化しても、柄１１の衝合部１４による第２清掃部材４０の押込み程度は変化せず、第２清掃部材４０のブラシ４２が第１清掃部材３０の孔３０Ａに対する位置は変化しないものになり、第２清掃部材４０による清掃状態を安定維持する。
【００１７】
清掃道具１０は、柄１１が連結する連結支持部材２３を前述の如く清掃ヘッド２０のヘッド本体２１に対して回転動作可能にするに際し、連結支持部材２３とヘッド本体２１の相対回転角位置が、図７に示す如くの特定のＡ位置にあるときには、柄１１の衝合部１４が清掃ヘッド２０の開口部２１Ｂを通して第２清掃部材４０に接触可能とされ、第２清掃部材４０を前述の如くに下方へ移動可能にする。他方、連結支持部材２３とヘッド本体２１の相対回転角位置が、図８に示す如く、Ａ位置以外のＢ位置にあるときには、柄１１の衝合部１４が清掃ヘッド２０の天面たるヘッド本体２１の上面に接触可能にされ、第２清掃部材４０には接触不可能とされ、結果として第１清掃部材３０だけを清掃に供するものになる。
【００１８】
清掃道具１０は、清掃ヘッド２０と連結支持部材２３の相対回転角位置がＡ位置又はＢ位置にあるとき、清掃ヘッド２０に対して連結支持部材２３を回転ロック可能にする。回転ロック手段は、例えば清掃ヘッド２０のヘッド本体２１に内蔵したばねによりボールを弾発し、このボールを連結支持部材２３の回転方向のいずれかに設けた係合凹部に押圧可能とするものにより構成でき、連結支持部材２３がＡ位置又はＢ位置に位置付けられたときに、ボールが連結支持部材２３の係合凹部に落ち込み、この連結支持部材２３をヘッド本体２１に対して回転ロックする。
【００１９】
清掃道具１０は、柄１１の平面視で、柄１１の長手方向（軸方向）に対する清掃ヘッド２０の幅寸法が上記Ａ位置とＢ位置で異なるものとする。例えば、図７に示すＡ位置では、柄１１が清掃ヘッド２０を押し進める清掃進み方向に対して清掃ヘッド２０を広幅にし、図８に示すＢ位置では、柄１１が清掃ヘッド２０を押し進める清掃進み方向に対して清掃ヘッド２０を狭幅にする。
【００２０】
本実施形態によれば以下の作用効果を奏する。
（請求項１）
(a)柄１１が清掃ヘッド２０の側に押されたとき、柄１１の押圧力は第２清掃部材４０のみに直接に伝えられて該第２清掃部材４０を下方へ移動し、第１清掃部材３０には直接には伝えられないように構成されており、第２清掃部材４０は一定以上の柄１１の押圧力によって被清掃面に接触せしめられる。
【００２１】
従って、柄１１に加える押圧力が低荷重であれば、第２清掃部材４０は被清掃面に接触する位置までは移動されず、第１清掃部材３０により被清掃面を清掃する。柄１１加える押圧力が高荷重になると、第２清掃部材４０が被清掃面に接触する位置まで移動し、第１清掃部材３０と第２清掃部材４０の両者により被清掃面を清掃し、被清掃面の頑固な汚れを第２清掃部材４０で清掃する。即ち、柄１１の押圧力の調整により、第１と第２の２種の清掃部材３０、４０を簡易に使い分けできる。
【００２２】
（請求項２）
(b)清掃ヘッド２０の天面には清掃ヘッド２０の内部に連通する開口部２１Ｂを設けるとともに、柄１１には該開口部２１Ｂを通して清掃ヘッド２０の内部に設けた第２清掃部材４０と接触可能になる衝合部１４を設け、柄１１の連結用突部１３を清掃ヘッド２０の連結孔２４Ａに嵌合して柄１１を清掃ヘッド２０に対して上下動可能にした。
【００２３】
従って、柄１１に加える押圧力により柄１１を清掃ヘッド２０に対して下動し、柄１１の衝合部１４の押込程度の調整により清掃ヘッド２０の内部の第２清掃部材４０を被清掃面に押圧接触可能にし、第２清掃部材４０により被清掃面を清掃できる。
【００２４】
（請求項３）
(c)清掃ヘッド２０と柄１１との連結構造は、柄１１が清掃ヘッド２０の天面に対して平行な揺動軸１３Ａをもって揺動可能に連結され、柄１１に設けた第２清掃部材４０と接触可能になる衝合部１４の外縁部１４Ａを、上記揺動軸中心から概ね同一距離となる円形状にした。
【００２５】
従って、柄１１の衝合部１４による第２清掃部材４０の押圧状態は柄１１の揺動状態によって変化しない。よって、清掃者による柄１１の操作姿勢が変化し、柄１１の揺動状態が変化しても、第２清掃部材４０による清掃状態を安定維持できる。
【００２６】
（請求項４）
(d)第２清掃部材を自然状態では被清掃面に接触しない上方位置に付勢するばね力を備え、柄１１の押圧力が第２清掃部材４０を被清掃面に接触させるように下方へ移動するときに弾性変形するばね部材５０を有する。
【００２７】
従って、ばね部材５０のばね力に対して柄１１に加える押圧力を調整することにより、第２清掃部材４０を被清掃面に対する離隔位置（上方位置）と接触位置（下方位置）とに安定的に切り替えでき、第１と第２の２種の清掃部材３０、４０を簡易に使い分けできる。
【００２８】
（請求項５）
(e)清掃ヘッド２０と柄１１を連結し、かつ清掃ヘッド２０の天面に対して回転動作し、柄１１とは相対回転しない連結支持部材２３を有する。そして、連結支持部材２３と清掃ヘッド２０の相対回転角位置が特定のＡ位置にあるときには、柄１１の衝合部１４が清掃ヘッド２０の開口部２１Ｂを通して第２清掃部材４０に接触可能とされ、Ａ位置以外のＢ位置では、柄１１の衝合部１４が清掃ヘッド２０の天面に接触可能かつ第２清掃部材４０に接触不可能とされる。
【００２９】
従って、柄１１及び連結支持部材２３をＡ位置に設定するとき、柄１１の衝合部１４により清掃ヘッド２０の内部の第２清掃部材４０を被清掃面に押圧接触させることができ、第１と第２の２種の清掃部材３０、４０を簡易に使い分けできる。他方、柄１１及び連結支持部材２３をＢ位置に設定するとき、柄１１の衝合部１４により清掃ヘッド２０の内部の第２清掃部材４０を被清掃面に押圧接触させることができず、第１清掃部材３０だけを清掃に供することができる。
【００３０】
（請求項６）
(f)連結支持部材２３と清掃ヘッド２０の相対回転角位置がＡ位置又はＢ位置にあるとき、連結支持部材２３を清掃ヘッド２０に対して回転ロック可能にし、柄１１の平面視で柄１１の長手方向に対する清掃ヘッド２０の幅寸法が上記Ａ位置とＢ位置で異なるものとする。
【００３１】
従って、例えば風呂掃除の場合、広く頑固な汚れの洗い場タイル面等の被清掃面に対しては、第２清掃部材４０も使用でき、かつ清掃ヘッド２０が清掃進み方向に対して広幅をなすＡ位置に柄１１及び連結支持部材２３を設定する。他方、狭くデリケートな部分であるバスタブ等の被清掃面に対しては、第１清掃部材３０だけを使用でき、かつ清掃ヘッド２０が清掃進み方向に対して狭幅をなすＢ位置に柄１１及び連結支持部材２３を設定する。
【図面の簡単な説明】
【００３２】
【図１】図１は清掃道具を示す全体斜視図である。
【図２】図２は清掃道具の内部構造を示す破断図である。
【図３】図３は清掃道具の内部構造を示す分解図である。
【図４】図４は柄の低押圧力清掃モードを示し、（Ａ）は全体破断図、（Ｂ）は柄の衝合部の押込程度を示す斜視図、（Ｃ）は第２清掃部材の突出程度を示す破断図である。
【図５】図５は柄の高押圧力清掃モードを示し、（Ａ）は全体破断図、（Ｂ）は柄の衝合部の押込程度を示す斜視図、（Ｃ）は第２清掃部材の突出程度を示す破断図である。
【図６】図６は柄の揺動状態を示す斜視図である。
【図７】図７は柄のＡ位置設定状態を示し、（Ａ）は全体斜視図、（Ｂ）は要部斜視図である。
【図８】図８は柄のＢ位置設定状態を示し、（Ａ）は全体斜視図、（Ｂ）は要部斜視図である。
【符号の説明】
【００３３】
１０  清掃道具
１１  柄
１３  連結用突部
１３Ａ  揺動軸
１４  衝合部
１４Ａ  外縁部
２０  清掃ヘッド
２１Ｂ  開口部
２３  連結支持部材
２４  連結部
２４Ａ  連結孔
３０  第１清掃部材
４０  第２清掃部材
５０  ばね部材
【図１】
0005039643.tif 000002
【図２】
0005039643.tif 000003
【図３】
0005039643.tif 000004
【図４】
0005039643.tif 000005
【図５】
0005039643.tif 000006
【図６】
0005039643.tif 000007
【図７】
0005039643.tif 000008
【図８】
0005039643.tif 000009